(57)【要約】【課題】建物における壁、床又は天井の耐震補強を図り、併せて該壁、床又は天井の断熱性、遮音性、気密性等を向上させると共に、居住者等の健康に好影響を及ぼすようにした建物の耐震補強方法を提供する。【解決手段】建物の壁、床又は天井（１）における内側部材（３）と外側部材（５）とのいずれか一方に透孔（７）を形成し、ポリウレタンフォームの原液をマイナスイオン発生器中を通過させた後、該原液を該透孔より内側部材と外側部材との間の空間部（１３）に充填し、発泡させることにより、該内側部材と外側部材とを、マイナスイオンを発生するポリウレタンフォーム（１５）を介して、一体化させるようにしたことを特徴とする建物の耐震補強方法。【選択図】図１
2004218271.tif 000002
【特許請求の範囲】
【請求項１】
建物の壁、床又は天井における内側部材と外側部材とのいずれか一方に透孔を形成し、ポリウレタンフォームの原液をマイナスイオン発生器中を通過させた後、該原液を該透孔より内側部材と外側部材との間の空間部に充填し、発泡させることにより、該内側部材と外側部材とを、マイナスイオンを発生するポリウレタンフォームを介して、一体化させるようにしたことを特徴とする建物の耐震補強方法。
【請求項２】
建物の壁、床又は天井における内側部材と外側部材とのいずれか一方に透孔を形成し、ポリウレタンフォームの原液に遠赤外線放射セラミックス粉末を混合してなる原料液を該透孔より内側部材と外側部材との間の空間部に充填し、発泡させることにより、該内側部材と外側部材とを、遠赤外線放射セラミックス粉末を含むポリウレタンフォームを介して、一体化させるようにしたことを特徴とする建物の耐震補強方法。
【請求項３】
建物の壁、床又は天井における内側部材と外側部材とのいずれか一方に透孔を形成し、ポリウレタンフォームの原液に遠赤外線放射セラミックス粉末を混合してなる原料液をマイナスイオン発生器中を通過させた後、該原料液を該透孔より内側部材と外側部材との間の空間部に充填し、発泡させることにより、該内側部材と外側部材とを、遠赤外線放射セラミックス粉末を含み且つマイナスイオンを発生するポリウレタンフォームを介して、一体化させるようにしたことを特徴とする建物の耐震補強方法。
【発明の詳細な説明】
【０００１】
【発明の属する技術分野】
本発明は建物の耐震補強方法に関するものであり、特に既存の住宅等の建物における壁、床又は天井の耐震補強を図り、併せて該壁、床又は天井の断熱性、遮音性、気密性等を向上させると共に、居住者等の健康に好影響を及ぼすようにした建物の耐震補強方法に係るものである。
【０００２】
【従来の技術】
建物の耐震補強を図るために、例えば、建物を筋交により補強し、建物におけるジョイント部に補強金具を取り付ける等の方法が既に行われている。なお、本出願人は先行技術文献情報を有しない。
【０００３】
【発明が解決しようとする課題】
しかるに、上記従来の耐震補強方法においては、地震の際の衝撃により筋交が所定の位置から外れ、或いは補強金具を取り付けたジョイント部が破壊されるおそれがあるため、充分な耐震効果が発揮されないという問題がある。また、上記従来の耐震補強方法を既存の建物に適用する場合には工事費用が嵩むという問題もある。
【０００４】
本発明は、上記従来の耐震補強方法における上述の如き問題を解決し、併せて建物の断熱性、遮音性、気密性等を向上させると共に居住者等の健康に好影響を及ぼすようにした建物の耐震補強方法を提供しようとしてなされたものである。
【０００５】
【課題を解決するための手段】
上記課題を解決するために、本発明は下記の建物の耐震補強方法を提供するものである。
【０００６】
（１）建物の壁、床又は天井における内側部材と外側部材とのいずれか一方に透孔を形成し、ポリウレタンフォームの原液をマイナスイオン発生器中を通過させた後、該原液を該透孔より内側部材と外側部材との間の空間部に充填し、発泡させることにより、該内側部材と外側部材とを、マイナスイオンを発生するポリウレタンフォームを介して、一体化させるようにしたことを特徴とする建物の耐震補強方法（請求項１）。
【０００７】
（２）建物の壁、床又は天井における内側部材と外側部材とのいずれか一方に透孔を形成し、ポリウレタンフォームの原液に遠赤外線放射セラミックス粉末を混合してなる原料液を該透孔より内側部材と外側部材との間の空間部に充填し、発泡させることにより、該内側部材と外側部材とを、遠赤外線放射セラミックス粉末を含むポリウレタンフォームを介して、一体化させるようにしたことを特徴とする建物の耐震補強方法（請求項２）。
【０００８】
（３）建物の壁、床又は天井における内側部材と外側部材とのいずれか一方に透孔を形成し、ポリウレタンフォームの原液に遠赤外線放射セラミックス粉末を混合してなる原料液をマイナスイオン発生器中を通過させた後、該原料液を該透孔より内側部材と外側部材との間の空間部に充填し、発泡させることにより、該内側部材と外側部材とを、遠赤外線放射セラミックス粉末を含み且つマイナスイオンを発生するポリウレタンフォームを介して、一体化させるようにしたことを特徴とする建物の耐震補強方法（請求項３）。
【０００９】
【作用】
［請求項１の発明］
建物の壁、床又は天井における内側部材と外側部材は、該内側部材と外側部材との間に充填されたポリウレタンフォームを介して一体化される。換言すれば、壁、床又は天井の全体が一体化される。従って、該壁、床又は天井は地震による水平方向の衝撃に対しても、垂直方向の衝撃に対しても充分に耐え得るものとなる。また、該壁、床又は天井の断熱性、遮音性、気密性等も著しく向上する。
【００１０】
更に、請求項１の発明においては、ポリウレタンフォームの原液をマイナスイオン発生器中を通過させているため、内側部材と外側部材との間に充填されたポリウレタンフォームはマイナスイオンを発生し、人間の健康に好影響を及ぼす。即ち、ポリウレタンフォームから発生するマイナスイオンは、血液の浄化作用、自立神経調整作用、疲労感の緩和作用等をなす。
【００１１】
［請求項２の発明］
前記請求項１の発明と同様に、建物の壁、床又は天井における内側部材と外側部材は、該内側部材と外側部材との間に充填されたポリウレタンフォームを介して一体化される。換言すれば、壁、床又は天井の全体が一体化される。従って、該壁、床又は天井は地震による水平方向の衝撃に対しても、垂直方向の衝撃に対しても充分に耐え得るものとなる。また、該壁、床又は天井の断熱性、遮音性、気密性等も著しく向上する。
【００１２】
請求項２の発明においては、内側部材と外側部材との間に充填されたポリウレタンフォームは遠赤外線放射セラミックス粉末を含む。該遠赤外線放射セラミックス粉末は遠赤外線を放射し、該遠赤外線は人間に対してリラクセーション作用をなす。
【００１３】
［請求項３の発明］
前記請求項１、請求項２の発明と同様に、建物の壁、床又は天井における内側部材と外側部材は、該内側部材と外側部材との間に充填されたポリウレタンフォームを介して一体化される。換言すれば、壁、床又は天井の全体が一体化される。従って、該壁、床又は天井は地震による水平方向の衝撃に対しても、垂直方向の衝撃に対しても充分に耐え得るものとなる。また、該壁、床又は天井の断熱性、遮音性、気密性等も著しく向上する。
【００１４】
請求項３の発明においては、内側部材と外側部材との間に充填されたポリウレタンフォームは、遠赤外線放射セラミックス粉末を含み且つマイナスイオンを発生する。ポリウレタンフォームに含まれる遠赤外線放射セラミックス粉末は遠赤外線を放射し、該遠赤外線は人間に対してリラクセーション作用をなす。また、ポリウレタンフォームから発生するマイナスイオンは人間の健康に好影響を及ぼす。即ち、ポリウレタンフォームから発生するマイナスイオンは、血液の浄化作用、自立神経調整作用、疲労感の緩和作用等をなす。
【００１５】
【発明の実施の形態】
次に、本発明の実施の形態を添付図面に従って説明する。
【００１６】
符号１に示すものは建物の壁、床又は天井である。壁、床又は天井１における内側部材３と外側部材５とのいずれか一方に透孔７を形成する。図示の事例においては、内側部材３に透孔７を形成している。符号９、１１に示すものは支持柱である。
【００１７】
本発明は、特に既存の建物における壁に好ましく適用される。この場合、内側部材３は内壁部材であり、外側部材５は外壁部材である。
【００１８】
本発明を床に適用する場合には、内側部材３は上側部材であり、外側部材５は下側部材である。
【００１９】
本発明を天井に適用する場合には、内側部材３は下側部材であり、外側部材５は上側部材である。
【００２０】
内側部材３と外側部材５との間には空間部１３が存する。
【００２１】
ポリウレタンフォームの原液をマイナスイオン発生器中を通過させた後、該原液を前記透孔７より内側部材３と外側部材５との間の空間部１３に充填し、発泡させることにより、該内側部材３と外側部材５とを、マイナスイオンを発生するポリウレタンフォーム１５を介して、一体化させる。
【００２２】
ポリウレタンフォームの原液は、好ましくはポリイソシアネート成分とポリオール成分とを混合攪拌してなるものであり、この原液は発泡硬化して硬質ポリウレタンフォームを形成する。
【００２３】
マイナスイオン発生器は磁気回路を備えており、ポリウレタンフォームの原液はマイナスイオン発生器中を通過した後はマイナスイオンを発生するに至る。
【００２４】
ポリウレタンフォームの原液を内側部材３又は外側部材５に形成された透孔７より内側部材３と外側部材５との間の空間部１３に充填する際には、一例として、先端に可撓性を有する細管２１を備えさせたガン２３を用いる。
【００２５】
図３に示す事例においては、内側部材３と外側部材５との間の空間部１３に充填されたポリウレタンフォーム１５により内側部材３ないし外側部材５の膨張、破裂を防止するために、該内側部材３と外側部材５とをボルト２５により相互に連結固定している。符号２７に示すものはワッシャ、符号２９に示すものはボルト２５に螺合させたナットである。
【００２６】
前記ポリウレタンフォームの原液に遠赤外線放射セラミックス粉末を混合してなる原料液を前記透孔７より内側部材３と外側部材５との間の空間部１３に充填し、発泡させることにより、該内側部材３と外側部材５とを、遠赤外線放射セラミックス粉末を含むポリウレタンフォーム１５を介して、一体化させるようにしてもよい。
【００２７】
遠赤外線放射セラミックス粉末は、例えば直径約１〜４０μｍのものを使用する。
【００２８】
前記原料液は、一例としてポリウレタンフォームの原液１００重量部に遠赤外線放射セラミックス粉末１重量部を混合してなるものとする。
【００２９】
また、前記原料液をマイナスイオン発生器中を通過させた後、該原料液を前記透孔７より内側部材３と外側部材５との間の空間部１３に充填し、発泡させることにより、該内側部材３と外側部材５とを、遠赤外線放射セラミックス粉末を含み且つマイナスイオンを発生するポリウレタンフォーム１５を介して、一体化させるようにしてもよい。
【００３０】
【発明の効果】
［請求項１の発明］
請求項１の発明によれば、建物の壁、床又は天井の全体が一体化されるため、該壁、床又は天井は充分な耐震性を備えると共に好ましい断熱性、遮音性、気密性等を有する。請求項１の発明による建物の耐震補強方法は、既存の建物についても低廉な費用で実施することができる。
【００３１】
更に、請求項１の発明においては、ポリウレタンフォームの原液をマイナスイオン発生器中を通過させているため、内側部材と外側部材との間に充填されたポリウレタンフォームはマイナスイオンを発生し、人間の健康に好影響を及ぼす。即ち、ポリウレタンフォームから発生するマイナスイオンは、血液の浄化作用、自立神経調整作用、疲労感の緩和作用等をなす。
【００３２】
［請求項２の発明］
請求項２の発明によれば、前記請求項１の発明と同様に、建物の壁、床又は天井は充分な耐震性を備えると共に好ましい断熱性、遮音性、気密性等を有する。請求項２の発明による建物の耐震補強方法は、既存の建物についても低廉な費用で実施することができる。
【００３３】
請求項２の発明においては、内側部材と外側部材との間に充填されたポリウレタンフォームは遠赤外線放射セラミックス粉末を含む。該遠赤外線放射セラミックス粉末は遠赤外線を放射し、該遠赤外線は人間に対してリラクセーション作用をなす。
【００３４】
［請求項３の発明］
請求項３の発明によれば、前記請求項１、請求項２の発明と同様に、建物の壁、床又は天井は充分な耐震性を備えると共に好ましい断熱性、遮音性、気密性等を有する。請求項３の発明による建物の耐震補強方法は、既存の建物についても低廉な費用で実施することができる。
【００３５】
請求項３の発明においては、内側部材と外側部材との間に充填されたポリウレタンフォームは、遠赤外線放射セラミックス粉末を含み且つマイナスイオンを発生する。ポリウレタンフォームに含まれる遠赤外線放射セラミックス粉末は遠赤外線を放射し、該遠赤外線は人間に対してリラクセーション作用をなす。また、ポリウレタンフォームから発生するマイナスイオンは人間の健康に好影響を及ぼす。即ち、ポリウレタンフォームから発生するマイナスイオンは、血液の浄化作用、自立神経調整作用、疲労感の緩和作用等をなす。
【図面の簡単な説明】
【図１】ポリウレタンフォームの原液を透孔より内側部材と外側部材との間の空間部に充填している状態を示す斜視図である。
【図２】同上の断面図である。
【図３】本発明の方法により耐震補強された壁、床又は天井の一例を示す断面図である。
【符号の説明】
１    建物の壁、床又は天井
３    内側部材
５    外側部材
７    透孔
９    支持柱
１１    支持柱
１３    空間部
１５    ポリウレタンフォーム
２１    細管
２３    ガン
２５    ボルト
２７    ワッシャ
２９    ナット
【図１】
2004218271.tif 000003
【図２】
2004218271.tif 000004
【図３】
2004218271.tif 000005